(57)【要約】      （修正有）【課題】快適性の向上及び健康の安全性の向上を図るとともに、冷却効率または暖房効率を向上することのできる空気調和機を提供する。【解決手段】室内機１の上面及び前面に形成された吸込口４ａ、４ｃから室内の空気が取り入れられ、室内熱交換器３と熱交換した後、吹出口５の第１開口部５ａから室内に送出される。所定の時期になると、横ルーバ１１ａ、１１ｂが回動して第１開口部５ａが閉塞され、回動板１４、１５が回動して第２開口部５ｂが開放される。これにより、送風経路６を流通する調整空気は分岐通路１３を流通して第２開口部５ｂから送出され、上方に導かれる。フロントパネル３に沿って上昇する調整空気は導風部２０で前方へ導かれ、吸込口４ｃへの流入が防止される。従って、使用者に常に冷たい風や暖かい風が当たることを防止するとともに、ショートサーキットを防止することができる。【選択図】図２
2006322704.tif 000002
【特許請求の範囲】
【請求項１】
室内の壁面に取り付けて、吸込口から取り入れた空気を調和して下部に設けた吹出口から下方及び上方に切り替えて送出する空気調和機において、前記吸込口よりも下方に配されるとともに前記吹出口よりも上方の前面側を遮蔽する遮蔽部と、前記遮蔽部に沿って上昇する空気の前記吸込口への流入を防止する流入防止手段とを備えたことを特徴とする空気調和機。
【請求項２】
前記流入防止手段は、前記遮蔽部に沿って上昇する空気を前方へ導く導風部から成ることを特徴とする請求項１に記載の空気調和機。
【請求項３】
前記遮蔽部の一部を前方へ突出して前記導風部を形成したことを特徴とする請求項２に記載の空気調和機。
【請求項４】
前記導風部は前記遮蔽部に枢設される回動部材から成ることを特徴とする請求項２に記載の空気調和機。
【請求項５】
前記流入防止手段は、前記遮蔽部の上部を延長する可動部材から成ることを特徴とする請求項１に記載の空気調和機。
【請求項６】
前記可動部材は前記遮蔽部に沿ってスライド移動することを特徴とする請求項５に記載の空気調和機。
【請求項７】
前記遮蔽部に断熱材を設けたことを特徴とする請求項１〜請求項６のいずれかに記載の空気調和機。
【請求項８】
前記吹出口から上方に調和空気を送出して冷房運転または除湿運転を行うことを特徴とする請求項１〜請求項７のいずれかに記載の空気調和機。
【発明の詳細な説明】
【技術分野】
【０００１】
本発明は、吸い込んだ空気を調和して送出する空気調和機に関する。
【背景技術】
【０００２】
図２１は従来の空気調和機の室内機を示す概略側面断面図である。空気調和機の室内機１は、キャビネット２により本体部が保持されており、キャビネット２には上面側と前面側に吸込口４ａ、４ｃが設けられたフロントパネル３が着脱自在に取り付けられている。キャビネット２は後方側面に爪部（不図示）が設けられており、室内の壁に取り付けられた取付板に該爪部を嵌合することにより支持される。
【０００３】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。送風ファン７として、例えばクロスフローファン等を用いることができる。
【０００４】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。室内熱交換器９は圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００５】
室内熱交換器９の前後の下部には冷房または除湿時に室内熱交換器９から落下した結露を捕集するドレンパン１０が設けられている。送風経路６内の吹出口５の近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【０００６】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【０００７】
室内機１内に取り込まれた空気は室内熱交換器９と熱交換し、冷却または加熱される。そして、送風経路６を通って縦ルーバ１２及び横ルーバ１１ａ、１１ｂによって左右方向及び上下方向に向きを規制されて吹出口５から下方に向けて室内に送出される。
【０００８】
また、空気調和機の運転の開始直後は速やかに室内の空気を循環させる必要がある。このため、送風ファン７の回転速度を高くして室内熱交換器９で熱交換された空気は吹出口５から勢いよく送出される。そして、室温と設定温度との温度差が小さくなると、送風ファン７の調整により徐々に送風量が低下する。これにより、きめ細かに室内が均一な温度分布に形成されるようになっている。
【発明の開示】
【発明が解決しようとする課題】
【０００９】
しかしながら、上記の従来の空気調和機によると、空気調和機は通常、使用者の身長よりも高い位置に設置され、吹出口５から略水平方向乃至下方向に送風される。このため、設定温度付近に達した状態で送風を継続すると使用者に常に冷たい風や暖かい風が当たることになる。従って、使用者に不快感を与える問題があった。また、除湿運転時や冷房運転時では局所的に使用者の体温を低下させて健康に害を与える問題もあった。
【００１０】
これらの問題を解決するために、吹出口から上方に調和空気を送出できる空気調和機が研究開発されている。図２２はこの空気調和機の室内機を示す概略側面断面図であり、図２１と同一の部分には同一の符号を付している。室内機１の吹出口５は第１開口部５ａと第２開口部５ｂとを有している。第１開口部５ａは送風経路６の終端に下方に臨んで配されている。第２開口部５ｂは送風経路６から上方に傾斜して分岐する分岐通路１３により送風経路６と連通している。分岐通路１３の両端には、回動軸１４ａ、１５ａでフロントパネル３に枢支される回動板１４、１５が設けられている。
【００１１】
空気調和機の運転を開始すると、吸込口４ａ、４ｃから室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように第１開口部５ａから略水平方向乃至下方向に向けて室内に送出される。
【００１２】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサ（不図示）により検知すると、送風ファン７の調整により徐々に送風量が低下する。
【００１３】
そして、図２３に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気が分岐通路１３を流通して第２開口部５ｂから送出され、矢印Ａ２に示すように上方に導かれる。
【００１４】
従って、使用者に常に冷たい風や暖かい風が当たることがなく、使用者の不快感を防止して快適性を向上することができる。更に、冷房時には局所的に使用者の体温を低下させることがなく健康上の安全性を向上することができるようになっている。
【００１５】
しかしながら、上記の空気調和機によると、第２開口部５ｂから上方に送出された調和空気が、矢印Ａ３に示すようにフロントパネル３に設けられた吸込口４ｃから室内機１内に取り込まれ、所謂ショートサーキットが生じる。このため、空気調和機の冷却効率または暖房効率を低下させる問題があった。
【００１６】
更に、冷房運転時や除湿運転時には第２開口部５ｂから送出された冷気が直ちに室内熱交換器９を通過するため、室内熱交換器９内の冷媒は充分な熱を吸収することができない。このため、室内熱交換器９の温度が通常時に比して低下して結露の増加及び結露水の凍結が発生する。
【００１７】
冷房運転または除湿運転を継続すると室内熱交換器９の表面に氷が成長し、室内熱交換器９から離れた位置の氷は低温に維持されずに一部が解ける。この解けた水滴は送風ファン７に滴下すると第２開口部５ｂから室内に放出される。また、室内熱交換器９の温度が低下してキャビネット２やフロントパネル３の表面が結露して結露水が滴下する。これらにより、室内が浸水する問題があった。また、室内熱交換器９の表面に成長した氷の押圧力によってキャビネット２やフロントパネル３等に破損や変形が発生する問題もあった。
【００１８】
本発明は、快適性の向上及び健康上の安全性の向上を図ることができるとともに、冷却効率または暖房効率を向上することのできる空気調和機を提供することを目的とする。また、本発明は、ショートサーキットを防止して結露による室内の浸水及び空気調和機の破損や変形を防止することのできる空気調和機を提供することを目的とする。
【課題を解決するための手段】
【００１９】
上記目的を達成するために本発明は、室内の壁面に取り付けて、吸込口から取り入れた空気を調和して下部に設けた吹出口から下方及び上方に切り替えて送出する空気調和機において、前記吸込口よりも下方に配されるとともに前記吹出口よりも上方の前面側を遮蔽する遮蔽部と、前記遮蔽部に沿って上昇する空気の前記吸込口への流入を防止する流入防止手段とを備えたことを特徴としている。
【００２０】
この構成によると、空気調和機を運転すると、空気調和機の上部に設けた吸込口から取り込まれた空気が調和されて吹出口から下方に送出され、所定の時期になると吹出口から上方に送出される。上方に送出された調和空気は遮蔽部に沿って上昇し、流入防止手段によって空気調和機内に取り込まれることなく室内に流通する。
【００２１】
また本発明は、上記構成の空気調和機において、前記流入防止手段は、前記遮蔽部に沿って上昇する空気を前方へ導く導風部から成ることを特徴としている。この構成によると、遮蔽部に沿って上昇する調整空気は導風部によって向きを変えて前方へ導かれ、室内を流通する。
【００２２】
また本発明は、上記構成の空気調和機において、前記遮蔽部の一部を前方へ突出して前記導風部を形成したことを特徴としている。
【００２３】
また本発明は、上記構成の空気調和機において、前記導風部は前記遮蔽部に枢設される回動部材から成ることを特徴としている。この構成によると、遮蔽部に沿って上昇する調整空気は回動部材から成る導風部が回動して所定の方向に向きを変えて前方へ導かれ、室内を流通する。
【００２４】
また本発明は、上記構成の空気調和機において、前記流入防止手段は、前記遮蔽部の上部を延長する可動部材から成ることを特徴としている。この構成によると、吹出口から上方に調整空気が送出されると可動部材によって遮蔽部の上部が延長され、遮蔽部に沿って上昇する調整空気は可動部材によって吸込口への流入が遮られる。
【００２５】
また本発明は、上記構成の空気調和機において、前記可動部材は前記遮蔽部に沿ってスライド移動することを特徴としている。
【００２６】
また本発明は、上記各構成の空気調和機において、前記遮蔽部に断熱材を設けたことを特徴としている。この構成によると、吹出口から上方に調整空気を送出する際に、空気調和機に取り込まれた空気と、遮蔽部の表面を通る空気との温度差による結露が防止される。
【００２７】
また本発明は、上記各構成の空気調和機において、前記吹出口から上方に調整空気を送出して冷房運転または除湿運転を行うことを特徴としている。
【発明の効果】
【００２８】
本発明によると、吹出口から下方及び上方に切り替えて送出する空気調和機において、  吸込口よりも下方に配されるとともに吹出口よりも上方の前面側を遮蔽する遮蔽部と、  遮蔽部に沿って上昇する空気の吸込口への流入を防止する流入防止手段とを備えている  ので、使用者に常に冷たい風や暖かい風が当たることがなく、使用者の不快感防止によ  る快適性の向上及び健康上の安全性の向上を図ることができるとともに、ショートサー  キットを防止して冷却効率或いは暖房効率を向上させることができる。また、ショート  サーキットの防止により、冷房運転時や除湿運転時に結露の増加や結露水の凍結及び成  長を防止できる。従って、結露水や凍結した氷が解けた水による室内への水の放出を防  止することができるとともに、成長した氷の押圧力による空気調和機の変形や破損を防  止することができる。
【００２９】
また本発明によると、導風部によって調整空気が前方へ導かれるので、吸込口への流入を容易に防止することができる。
【００３０】
また本発明によると、遮蔽部の一部を前方へ突出することにより簡単に流入防止手段を実現することができる。
【００３１】
また本発明によると、導風部は遮蔽部に枢設される回動部材から成るので、簡単に導風部を形成することができるとともに、風向を所望の向きに可変することができる。更に、空気調和機を使用しない際に遮蔽部に沿って回動部材を配置することにより空気調和機の外観の美観を損ねることがない。
【００３２】
また本発明によると、流入防止手段は、遮蔽部の上部を延長する可動部材から成るので、吸込口への流入を容易に防止することができる。
【００３３】
また本発明によると、遮蔽部に沿ってスライド移動する可動部材によって簡単に流入防止手段を実現することができる。更に、空気調和機を使用しない際に遮蔽部に面して可動部材を配置することにより空気調和機の外観の美観を損ねることがない。
【００３４】
また本発明によると、遮蔽部に断熱材を設けることにより、遮蔽部の両面の温度差による結露を防止することができる。
【００３５】
また本発明によると、吹出口から上方に調和空気を送出して冷房運転または除湿運転を行うので、ショートサーキットによる結露水の増加や結露水の凍結を防止することができる。
【発明を実施するための最良の形態】
【００３６】
以下に本発明の実施形態を図面を参照して説明する。説明の便宜上、従来例の図２２、図２３と同様の部分については同一の符号を付している。図１は第１実施形態の空気調和機の室内機を示す概略側面断面図である。空気調和機の室内機１は、キャビネット２により本体部が保持されている。
【００３７】
キャビネット２の前面側には、本体部を覆うようにフロントパネル３が着脱自在に取り付けられている。キャビネット２の上面部には吸込口４ａが設けられており、フロントパネル３の上端とキャビネット２と隙間によって吸込口４ｃが形成されている。フロントパネル３の上端には前方に向かって屈曲した導風部２０が一体に形成されている。
【００３８】
キャビネット２は後方側面に爪部（不図示）が設けられており、室内の壁に取り付けられる取付板に該爪部を嵌合することにより支持される。フロントパネル３の下端部とキャビネット２の下端部との間隙には、室内機１の幅方向に延びる略矩形の第１、第２開口部５ａ、５ｂから成る吹出口５が形成されている。
【００３９】
室内機１の内部には、吸込口４ａ、４ｃから吹出口５に連通する送風経路６が形成されている。送風経路６内のキャビネット２の前方には空気を送出する送風ファン７が配されている。送風ファン７として、例えばクロスフローファン等を用いることができる。
【００４０】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。フロントパネル３と室内熱交換器９との間には所定間隔の空間が設けられており、吸込口４ａ、４ｃから取り入れられた空気が該空間を通って室内熱交換器９と広い面積で接触するようになっている。
【００４１】
室内熱交換器９は圧縮機（不図示）に接続されており、圧縮機の駆動により冷凍サイクルが運転される。冷凍サイクルの運転によって、冷房時には室内熱交換器９が周囲温度よりも低温に冷却される。暖房時には、室内熱交換器９が周囲温度よりも高温に加熱される。尚、室内熱交換器９とエアフィルタ８との間には吸い込まれた空気の温度を検知する温度センサ（不図示）が設けられている。
【００４２】
室内熱交換器９の前後の下部には冷房または除湿時に室内熱交換器９から落下した結露を捕集するドレンパン１０が設けられている。前方のドレンパン１０はフロントパネル３に取り付けられ、後方のドレンパン１０はキャビネット２と一体に形成されている。送風経路６内の吹出口５の第１開口部５ａの近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【００４３】
第２開口部５ｂは送風経路６から上方に傾斜して分岐する分岐通路１３により送風経路６と連通している。分岐通路１３の両端には回動軸１４ａ、１５ａでフロントパネル３に枢支される回動板１４、１５が設けられている。回動板１５により分岐通路１３を閉じると、回動板１５が送風経路６の内壁面を形成して気流を案内する。これにより、送風経路６を流通する空気の流通抵抗の増加を防止するようになっている。
【００４４】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００４５】
室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４６】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサにより検知すると、送風ファン７の制御により徐々に送風量が低下する。
【００４７】
そして、図２に示すように、横ルーバ１１ａ、１１ｂが回動して第１開口部５ａが閉塞され、回動板１４、１５が回動して第２開口部５ｂ及び分岐通路１３の分岐部分が開放される。これにより、吸込口４ａから取り込まれた空気が送風経路６及び分岐通路１３を流通して第２開口部５ｂから送出され、矢印Ａ２に示すように上方に導かれる。従って、使用者に常に冷たい風や暖かい風が当たることがなく、使用者の不快感を防止して快適性を向上することができる。更に、冷房時には局所的に使用者の体温を低下させることがなく健康上の安全性を向上することができる。
【００４８】
また、第２開口部５ｂから上方に送出される調整空気は遮蔽されたフロントパネル３（遮蔽部）の前面を通過して、導風部２０によって吸込口４ｃよりも下方で前方に導かれる。このため、吸込口４ａ、４ｃから室内機１内に調整空気が流入するショートサーキットを防止することができる。
【００４９】
従って、空気調和機の冷却効率または暖房効率の低下を防止することができる。また、ショートサーキットが防止されるため、フロントパネル３の表面の結露の増加や室内熱交換器９の表面に付着した結露水の凍結及び成長を防止できる。従って、結露水や凍結した氷が解けた水の室内へ放出を防止することができるとともに、成長した氷の押圧力によるキャビネット２やフロントパネル３等の変形や破損を防止することができる。
【００５０】
更に、吸込口４ｃが前面側に向けて開放されているので、第１開口部５ａから略水平方向乃至下方向に調和空気を送出する際に充分な風量を確保することができる。従って、運転効率の低下を防止できるとともに、充分な風量を確保するために送風ファン７の回転数を増加させる必要がなく、騒音の増大を防止することができる。室内機１と室内の天井との空間が狭く吸込口４ａからの吸気量が少ない場合には、風量低下を防止する効果がより大きくなる。
【００５１】
フロントパネル３の内面は室内機１内に取り込まれた空気と接触し、フロントパネル３の外面は吹出口５から送出された空気と接触する。このため、フロントパネル３の両面の温度差により結露が生じやすくなるが、発泡樹脂等から成る断熱材をフロントパネル３に固着すると、結露を防止できるのでより望ましい。フロントパネル３を中空に形成して空気層や真空層から成る断熱材を設けてもよい。
【００５２】
尚、空気調和機によって除湿運転を行う際も同様に、室内熱交換器９との熱交換により除湿された低温の空気を上方に送出することにより上記と同様の効果を得ることができる。また、空気調和機は、室内熱交換器内に蒸発部と凝縮部とを備えた再熱ドライ方式の除湿装置であってもよい。即ち、再熱ドライ方式の除湿装置は、蒸発部で熱交換により冷却除湿された空気が凝縮部で熱交換により昇温されて室内に送出される。この時、凝縮器で昇温しても尚、体温よりも低温の空気が常に使用者に当たることを防止することができる。
【００５３】
次に、図３は第２実施形態の空気調和機の室内機を示す概略側面断面図である。前述の図１、図２に示す第１実施形態と同様の部分には同一の符号を付している。本実施形態は、吸込口４ｃをフロントパネル３の上部に設け、吸込口４ｃの下方に前方へ突出した導風部２０をフロントパネルと一体に設けている。その他の部分は第１実施形態と同一である。
【００５４】
上記と同様に、空気調和機の運転を開始すると、室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００５５】
室温と設定温度との温度差が小さくなったことを温度センサにより検知すると、送風ファン７の調整により徐々に送風量が低下する。そして、図４に示すように、横ルーバ１１ａ、１１ｂが回動して第１開口部５ａが閉塞され、回動板１４、１５が回動して第２開口部５ｂ及び分岐通路１３の分岐部分が開放される。これにより、送風経路６を流通する調整空気は分岐通路１３を流通して第２開口部５ｂから上方に送出される。
【００５６】
遮蔽されたフロントパネル３の下部に沿って上昇する調整空気は、矢印Ａ２に示すように導風部２０で前方に向きを変えて室内を流通する。従って、第１実施形態と同様に、使用者の不快感を防止するとともに、吸込口４ｃを設けているため空気量の低下を招くことなくショートサーキットを防止することができる。
【００５７】
次に、図５は第３実施形態の空気調和機の室内機を示す概略側面断面図である。前述の図３、図４に示す第２実施形態と同様の部分には同一の符号を付している。第２実施形態と異なる点は、吸込口４ｃ（図３参照）を塞いで導風部２０よりも上方のフロントパネル３を遮蔽している点である。その他の部分は第２実施形態と同一である。
【００５８】
空気調和機の運転を開始すると、吸込口４ａから室内機１内に空気が吸い込まれる。該空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００５９】
室温と設定温度との温度差が小さくなったことを温度センサにより検知すると、送風ファン７の調整により徐々に送風量が低下する。そして、図６に示すように、横ルーバ１１ａ、１１ｂが回動して第１開口部５ａが閉塞され、回動板１４、１５が回動して第２開口部５ｂ及び分岐通路１３の分岐部分が開放される。
【００６０】
これにより、送風経路６を流通する調整空気は分岐通路１３を流通して第２開口部５ｂから上方に送出される。フロントパネル３の遮蔽された下部に沿って上昇する調整空気は、矢印Ａ２に示すように導風部２０で前方に向きを変えて室内を流通する。従って、第１、第２実施形態と同様に、使用者の不快感を防止するとともに、前面側の吸込口を備えないため空気量は第１、第２実施形態よりも低下するが、ショートサーキットを防止することができる。
【００６１】
次に、図７は第４実施形態の空気調和機の室内機を示す概略側面断面図である。前述の図５、図６に示す第３実施形態と同様の部分には同一の符号を付している。本実施形態のフロントパネル３は前面側と上面側とが一体に形成されてキャビネット２に取り付けられている。フロントパネル３の上面側には吸込口４ａが形成され、前面側の上端には斜めに突出した導風部２０が形成されている。その他の部分は第３実施形態と同一である。
【００６２】
吸込口４ａから室内機１内に取り込まれた空気は吹出口の第１開口部５ａから矢印Ａ１に示すように略水平方向乃至下方に送出される。室温と設定温度との温度差が小さくなったことを温度センサにより検知すると、図８に示すように、第１開口部５ａが閉塞され、第２開口部５ｂが開放される。
【００６３】
そして、調整空気が第２開口部５ｂから上方に送出され、矢印Ａ２に示すように導風部２０によって前方上方へ導かれる。従って、第３実施形態と同様に、使用者の不快感を防止するとともに、ショートサーキットを防止することができる。尚、導風部２０はフロントパネル３の上面側に設けてもよく、吸込口４ａよりも前方側であればショートサーキットを防止することができる。
【００６４】
次に、図９は第５実施形態の空気調和機の室内機を示す概略側面断面図である。前述の図１、図２に示す第１実施形態と同様の部分には同一の符号を付している。第１実施形態と異なる点は、枢支軸２３ａによりフロントパネル３の上端に枢支される導風板２３（回動部材）を導風部２０（図１参照）に替えて設けている点である。その他の部分は第１実施形態と同一である。
【００６５】
吸込口４ａ、４ｃから室内機１内に取り込まれた空気は吹出口５の第１開口部５ａから矢印Ａ１に示すように略水平方向乃至下方に送出される。室温と設定温度との温度差が小さくなったことを温度センサにより検知すると、図１０に示すように、横ルーバ１１ａ、１１ｂにより第１開口部５ａが閉塞され、回動板１４、１５の回動により第２開口部５ｂ及び分岐通路１３が開放される。これにより、第２開口部５ｂから調整空気が上方に送出される。
【００６６】
また、導風板２３が前方へ突出するように回動し、フロントパネル３に沿って上昇する調整空気は矢印Ａ２に示すように導風板２３によって前方上方へ導かれる。従って、第１実施形態と同様に、使用者の不快感を防止するとともに、前面側に吸込口４ｃを備えるため空気量の低下を招くことなくショートサーキットを防止することができる。
【００６７】
また、導風板２３の向きを調節することによって調整空気の風向を所望の向きに可変することができる。更に、空気調和機を使用しない際に、図９に示すように導風板２３をフロントパネル３に沿って配置することができ、室内機１の外観の美観を損ねることがない。
【００６８】
次に、図１１は第６実施形態の空気調和機の室内機を示す概略側面断面図である。前述の図９、図１０に示す第５実施形態と同様の部分には同一の符号を付している。本実施形態は、フロントパネル３の前面側を覆うように導風板２４（回動部材）を配置し、枢支軸２４ａによってフロントパネル３の上端に導風板２４を枢支している。その他の部分は第５実施形態と同一である。
【００６９】
吸込口４ａ、４ｃから室内機１内に取り込まれた空気は吹出口５の第１開口部５ａから矢印Ａ１に示すように略水平方向乃至下方に送出される。室温と設定温度との温度差が小さくなったことを温度センサにより検知すると、図１２に示すように、横ルーバ１１ａ、１１ｂにより第１開口部５ａが閉塞され、回動板１４、１５の回動により第２開口部５ｂ及び分岐通路１３が開放される。これにより、第２開口部５ｂから調整空気が上方に送出される。
【００７０】
また、導風板２４がフロントパネル３の上端から前方へ突出するように回動し、フロントパネル３に沿って上昇する調整空気は矢印Ａ２に示すように導風板２４によって前方上方へ導かれる。従って、第５実施形態と同様に、使用者の不快感を防止するとともに、空気量の低下を招くことなくショートサーキットを防止することができる。また、導風板２４の向きを調節することによって調整空気の風向を所望の向きに可変することができる。更に、空気調和機を使用しない際に導風板２４をフロントパネル３に接するように収納することができ、室内機１の外観の美観を損ねることがない。
【００７１】
次に、図１３、図１４は第７実施形態の空気調和機の室内機を示す概略側面断面図及び斜視図である。前述の図１１、図１２に示す第６実施形態と同様の部分には同一の符号を付している。本実施形態は、導風板２４（図１１参照）に替えてフロントパネル３の前面側の内面に接するように移動板２１（可動部材）を設け、移動板２１がフロントパネル３に対してスライド移動可能になっている。その他の部分は第６実施形態と同一である。
【００７２】
フロントパネル３の前面側の下部の遮蔽部分に面した位置に移動板２１を配置した状態で吸込口４ａ、４ｃから室内機１内に取り込まれた空気は、吹出口５の第１開口部５ａから矢印Ａ１に示すように略水平方向乃至下方に送出される。室温と設定温度との温度差が小さくなったことを温度センサにより検知すると、図１５、図１６に示すように、横ルーバ１１ａ、１１ｂにより第１開口部５ａが閉塞され、回動板１４、１５の回動により第２開口部５ｂ及び分岐通路１３が開放される。これにより、第２開口部５ｂから調整空気が上方に送出される。
【００７３】
また、移動板２１がフロントパネル３の上端から上方へ突出するようにスライド移動し、フロントパネル３の前面側の遮蔽部分が延長される。これにより、フロントパネル３に沿って上昇する調整空気は矢印Ａ２に示すように吸込口４ｃへの流入を防止される。従って、第６実施形態と同様に、使用者の不快感を防止するとともに、空気量の低下を招くことなくショートサーキットを防止することができる。更に、空気調和機を使用しない際に移動板２１をフロントパネル３に面した位置に収納することができ、室内機１の外観の美観を損ねることがない。
【００７４】
次に、図１７は第８実施形態の空気調和機の室内機を示す概略側面断面図である。前述の図１３〜図１６に示す第７実施形態と同様の部分には同一の符号を付している。第７実施形態と異なる点は、吸込口４ｃをフロントパネル３の上部に形成している点である。その他の部分は第７実施形態と同一である。
【００７５】
フロントパネル３の前面側の下部を覆う位置に移動板２１を配置した状態で吸込口４ａ、４ｃから室内機１内に取り込まれた空気は吹出口５の第１開口部５ａから矢印Ａ１に示すように略水平方向乃至下方に送出される。室温と設定温度との温度差が小さくなったことを温度センサにより検知すると、図１８に示すように、横ルーバ１１ａ、１１ｂにより第１開口部５ａが閉塞され、回動板１４、１５の回動により第２開口部５ｂ及び分岐通路１３が開放される。これにより、第２開口部５ｂから調整空気が上方に送出される。
【００７６】
また、移動板２１がフロントパネル３の上端から上方へ突出するようにスライド移動し、フロントパネル３の前面側の遮蔽部分が延長される。これにより、フロントパネル３に沿って上昇する調整空気は矢印Ａ２に示すように吸込口４ｃへの流入を防止される。従って、第７実施形態と同様に、使用者の不快感を防止するとともに、空気量の低下を招くことなくショートサーキットを防止することができる。更に、空気調和機を使用しない際に移動板２１をフロントパネル３に面した位置に収納することができ、室内機１の外観の美観を損ねることがない。
【００７７】
次に、図１９は第９実施形態の空気調和機の室内機を示す概略側面断面図である。前述の図１７、図１８に示す第８実施形態と同様の部分には同一の符号を付している。第８実施形態と異なる点は、吸込口４ｃ（図１７参照）を塞いでフロントパネル３の上部を遮蔽している点である。その他の部分は第８実施形態と同一である。
【００７８】
フロントパネル３の前面側を覆う位置に移動板２１を配置した状態で吸込口４ａから室内機１内に取り込まれた空気は吹出口５の第１開口部５ａから矢印Ａ１に示すように略水平方向乃至下方に送出される。室温と設定温度との温度差が小さくなったことを温度センサにより検知すると、図２０に示すように、横ルーバ１１ａ、１１ｂにより第１開口部５ａが閉塞され、回動板１４、１５の回動により第２開口部５ｂ及び分岐通路１３が開放される。これにより、第２開口部５ｂから調整空気が上方に送出される。
【００７９】
また、移動板２１がフロントパネル３の上端から上方へ突出するようにスライド移動し、フロントパネル３の前面側の遮蔽部分が延長される。これにより、フロントパネル３に沿って上昇する調整空気は矢印Ａ２に示すように吸込口４ａへの流入が防止される。従って、使用者の不快感を防止するとともに、前方側の吸込口を設けていないので空気量が低下するが、ショートサーキットを防止することができる。更に、空気調和機を使用しない際に移動板２１をフロントパネル３に面した位置に収納することができ、室内機１の外観の美観を損ねることがない。
【図面の簡単な説明】
【００８０】
【図１】本発明の第１実施形態の空気調和機の室内機を示す概略側面断面図である。
【図２】本発明の第１実施形態の空気調和機の室内機の動作を示す概略側面断面図で  ある。
【図３】本発明の第２実施形態の空気調和機の室内機を示す概略側面断面図である。
【図４】本発明の第２実施形態の空気調和機の室内機の動作を示す概略側面断面図で  ある。
【図５】本発明の第３実施形態の空気調和機の室内機を示す概略側面断面図である。
【図６】本発明の第３実施形態の空気調和機の室内機の動作を示す概略側面断面図で  ある。
【図７】本発明の第４実施形態の空気調和機の室内機を示す概略側面断面図である。
【図８】本発明の第４実施形態の空気調和機の室内機の動作を示す概略側面断面図で  ある。
【図９】本発明の第５実施形態の空気調和機の室内機を示す概略側面断面図である。
【図１０】本発明の第５実施形態の空気調和機の室内機の動作を示す概略側面断面図で  ある。
【図１１】本発明の第６実施形態の空気調和機の室内機を示す概略側面断面図である。
【図１２】本発明の第６実施形態の空気調和機の室内機の動作を示す概略側面断面図で  ある。
【図１３】本発明の第７実施形態の空気調和機の室内機を示す概略側面断面図である。
【図１４】本発明の第７実施形態の空気調和機の室内機を示す斜視図である。
【図１５】本発明の第７実施形態の空気調和機の室内機の動作を示す概略側面断面図で  ある。
【図１６】本発明の第７実施形態の空気調和機の室内機の動作を示す斜視図である。
【図１７】本発明の第８実施形態の空気調和機の室内機を示す概略側面断面図である。
【図１８】本発明の第８実施形態の空気調和機の室内機の動作を示す概略側面断面図で  ある。
【図１９】本発明の第９実施形態の空気調和機の室内機を示す概略側面断面図である。
【図２０】本発明の第９実施形態の空気調和機の室内機の動作を示す概略側面断面図で  ある。
【図２１】従来の空気調和機の室内機を示す概略側面断面図である。
【図２２】他の従来の空気調和機の室内機を示す概略側面断面図である。
【図２３】他の従来の空気調和機の室内機の動作を示す概略側面断面図である。
【符号の説明】
【００８１】
１ 室内機
２ キャビネット
３ フロントパネル
４ａ、４ｃ 吸込口
５ 吹出口
５ａ 第１開口部
５ｂ 第２開口部
６ 送風経路
７ 送風ファン
８ エアフィルタ
９ 室内熱交換器
１０ ドレンパン
１１ａ、１１ｂ 横ルーバ
１２ 縦ルーバ
１３ 分岐通路
１４、１５ 回動板
２０ 導風部
２１ 移動板（可動部材）
２３、２４ 導風板（回動部材）
【図１】
2006322704.tif 000003
【図２】
2006322704.tif 000004
【図３】
2006322704.tif 000005
【図４】
2006322704.tif 000006
【図５】
2006322704.tif 000007
【図６】
2006322704.tif 000008
【図７】
2006322704.tif 000009
【図８】
2006322704.tif 000010
【図９】
2006322704.tif 000011
【図１０】
2006322704.tif 000012
【図１１】
2006322704.tif 000013
【図１２】
2006322704.tif 000014
【図１３】
2006322704.tif 000015
【図１４】
2006322704.tif 000016
【図１５】
2006322704.tif 000017
【図１６】
2006322704.tif 000018
【図１７】
2006322704.tif 000019
【図１８】
2006322704.tif 000020
【図１９】
2006322704.tif 000021
【図２０】
2006322704.tif 000022
【図２１】
2006322704.tif 000023
【図２２】
2006322704.tif 000024
【図２３】
2006322704.tif 000025